(57)【要約】【課題】トンネル内の警報や避難誘導の表示などを確実に視認できるようにしたトンネル内投影装置を提供する。【解決手段】トンネルの壁面に光を投影するトンネル内投影装置であって、トンネルの壁面に向かうように配置される投影部２７と、トンネル内の異常発生を検出する防災受信盤３０と、を有し、防災受信盤３０でトンネル内の異常発生が検出されると、投影部２７は、トンネルの壁面または道路面に対し、発生した異常に対応する表示を投影するトンネル内投影装置である。【選択図】図４
2019041862.tif 000002
【特許請求の範囲】
【請求項１】
トンネルの壁面に光を投影するトンネル内投影装置であって、
前記トンネルの壁面に向かうように配置される投影部と、
前記トンネル内の異常発生を検出する防災受信盤と、を有し、
前記防災受信盤で前記トンネル内の異常発生が検出されると、前記投影部は、前記トンネルの壁面または道路面に対し、発生した異常に対応する表示を投影することを特徴とするトンネル内投影装置。
【請求項２】
前記防災受信盤で前記トンネル内の異常発生が検出されると、前記投影部は、前記トンネルの壁面が赤色となるように光を投影することを特徴とする請求項１に記載のトンネル内投影装置。
【請求項３】
前記防災受信盤で前記トンネル内の異常発生が検出されると、前記投影部は、前記トンネルの壁面に対して警報を示す文字情報の表示を投影することを特徴とする請求項１または２に記載のトンネル内投影装置。
【請求項４】
前記防災受信盤で前記トンネル内の異常発生が検出されると、前記投影部は、前記トンネルの壁面に対して避難誘導を示す文字情報及び／または図形の表示を投影することを特徴とする請求項１〜３のいずれか１項に記載のトンネル内投影装置。
【請求項５】
前記防災受信盤で前記トンネル内の異常発生が検出されると、前記投影部は、前記トンネルの壁面に対して消火栓の位置を示す文字情報及び／または図形の表示を投影することを特徴とする請求項１〜４のいずれか１項に記載のトンネル内投影装置。
【請求項６】
前記投影部は、前記消火栓で所定の操作が行われると、次に操作すべき内容を示す文字情報及び／または図形の表示を投影することを特徴とする請求項５に記載のトンネル内投影装置。
【請求項７】
前記投影部が投影する表示のうち、運転手向けの情報は前記トンネルの天井部に投影され、車を降りた人向けの情報は前記トンネルの側壁部に投影されることを特徴とする請求項１〜６のいずれか１項に記載のトンネル内投影装置。
【請求項８】
前記投影部は、前記トンネルの壁面または監視員通路に配置されることを特徴とする請求項１〜７のいずれか１項に記載のトンネル内投影装置。
【請求項９】
トンネル内に車の通過を検出する通過検出部を設け、前記投影部は、前記通過検出部で車の通過が検出されない間は投影を行わず、前記通過検出部で車の通過が検出されると前記トンネルの壁面または道路面に対して投影を行うことを特徴とする請求項１〜８のいずれか１項に記載のトンネル内投影装置。
【発明の詳細な説明】
【技術分野】
【０００１】
本発明は、トンネル内の壁面に警報や避難誘導等を表示するトンネル内投影装置に関する。
【背景技術】
【０００２】
自動車専用道路等のトンネルには、トンネル内で発生する火災事故から人身及び車両を守るため、非常用設備が設置されている。非常用設備は、火災の発生を監視する火災検知器、手動通報装置、非常電話、火災の消火や延焼防止のための消火栓装置、トンネル躯体やダクト内を火災から防護するための水噴霧ヘッドなどを有している。また、非常用設備は、前記各機器を監視制御する防災受信盤を有している。
【０００３】
トンネル内には、トンネル出口や避難連絡口の方向と距離を示した誘導表示板や、火災事故発生時などに警報を表示する警報表示板も設置される。誘導表示板や警報表示板は、トンネルの壁面に設置される。誘導表示板をトンネル内に設けたトンネル誘導設備としては、例えば特許文献１のようなものがある。
【先行技術文献】
【特許文献】
【０００４】
【特許文献１】特開２０１７−１３４６３１号公報
【発明の概要】
【発明が解決しようとする課題】
【０００５】
誘導表示板は、トンネルの壁面に設置されるため、トンネルの長さ方向に向かっている車両の運転手は、その近傍でなければ誘導表示板を十分に視認できない。また、車両の進行方向に向かうように配置される警報表示板も、車両の通行の妨げとならないように、それほど大きくすることができない。このため、トンネル内異常発生時において、車両の運転手が警報を十分に視認できない可能性がある。加えて、トンネル内に配置される消火栓も、その位置を知らせるための表示部分を有するが、消火栓はトンネルの壁面に配置されているため、車両の進行方向からは表示部分を視認しにくい。
【０００６】
本発明は前記課題を鑑みてなされたものであり、トンネル内の警報や避難誘導の表示などをトンネル内に大きく表示し、確実に視認できるようにしたトンネル内投影装置を提供することを目的とする。
【課題を解決するための手段】
【０００７】
前記課題を解決するため、請求項１の発明に係るトンネル内投影装置は、トンネルの壁面に光を投影するトンネル内投影装置であって、
前記トンネルの壁面に向かうように配置される投影部と、
前記トンネル内の異常発生を検出する防災受信盤と、を有し、
前記防災受信盤で前記トンネル内の異常発生が検出されると、前記投影部は、前記トンネルの壁面に対し、発生した異常に対応する表示を投影することを特徴として構成されている。
【０００８】
請求項１に係る発明によれば、トンネルの壁面に表示が投影されるので、トンネルの壁面の色を変化させたり、文字や図形等を大きく表示することができ、トンネル内の警報や避難誘導などを確実に視認できるように表示することができる。トンネル外で表示を投影しようとすると、太陽光下での投影となるため、非常に大きな光量が必要となったり、あるいは投影先がないなどの問題を生じるが、トンネル内はトンネル外より暗く、また、壁に囲まれているため、これらの問題を生じず、投影による表示を視認しやすい。
【０００９】
また、請求項２の発明に係るトンネル内投影装置は、前記防災受信盤で前記トンネル内の異常発生が検出されると、前記投影部は、前記トンネルの壁面が赤色となるように光を投影することを特徴として構成されている。
【００１０】
請求項２に係る発明によれば、トンネルの壁面が赤色となることで、トンネル内の人は異常が発生したことを瞬時に認識することができる。
【００１１】
さらに、請求項３の発明に係るトンネル内投影装置は、前記防災受信盤で前記トンネル内の異常発生が検出されると、前記投影部は、前記トンネルの壁面に対して警報を示す文字情報の表示を投影することを特徴として構成されている。
【００１２】
請求項３に係る発明によれば、投影部によりトンネルの壁面に文字を大きく表示できるので、異常発生時にトンネル内の人に対し文字情報による確実な情報伝達を行うことができる。
【００１３】
さらにまた、請求項４の発明に係るトンネル内投影装置は、前記防災受信盤で前記トンネル内の異常発生が検出されると、前記投影部は、前記トンネルの壁面に対して避難誘導を示す文字情報及び図形の表示を投影することを特徴として構成されている。
【００１４】
請求項４に係る発明によれば、投影部によりトンネルの壁面に文字や図形を大きく表示できるので、確実な避難誘導を行うことができる。
【００１５】
そして、請求項５の発明に係るトンネル内投影装置は、前記防災受信盤で前記トンネル内の異常発生が検出されると、前記投影部は、前記トンネルの壁面に対して消火栓の位置を示す文字情報及び図形の表示を投影することを特徴として構成されている。
【００１６】
請求項５に係る発明によれば、投影部によりトンネルの壁面に消火栓の位置を示す文字や図形を大きく表示できるので、消火栓の位置をトンネル内の人に確実に知らせることができる。
【００１７】
また、請求項６の発明に係るトンネル内投影装置は、前記投影部は、前記消火栓で所定の操作が行われると、次に操作すべき内容を示す文字情報及び／または図形の表示を投影することを特徴として構成されている。
【００１８】
請求項６に係る発明によれば、投影部により状況に応じて表示を変化させるので、トンネル内の異常発生時に、より的確な行動を促すことができる。
【００１９】
さらに、請求項７の発明に係るトンネル内投影装置は、前記投影部が投影する表示のうち、運転手向けの情報は前記トンネルの天井部に投影され、車を降りた人向けの情報は前記トンネルの側壁部に投影されることを特徴として構成されている。
【００２０】
請求項７に係る発明によれば、見る人の視点に合った表示を行うことができ、表示の視認性をより高くすることができる。
【００２１】
さらにまた、請求項８の発明に係るトンネル内投影装置は、前記投影部は、前記トンネルの壁面または監視員通路に配置されることを特徴として構成されている。
【００２２】
請求項８に係る発明によれば、投影部により、トンネルの天井部、側壁部、監視員通路、道路面のいずれにも表示を投影することができる。
【００２３】
そして、請求項９の発明に係るトンネル内投影装置は、トンネル内に車の通過を検出する通過検出部を設け、前記投影部は、前記通過検出部で車の通過が検出されない間は投影を行わず、前記通過検出部で車の通過が検出されると前記トンネルの壁面または道路面に対して投影を行うことを特徴として構成されている。
【００２４】
請求項９に係る発明によれば、投影部により必要なタイミングでのみ投影を行うので、電力消費を低減できる。
【発明の効果】
【００２５】
本発明に係るトンネル内投影装置によれば、投影部によってトンネルの壁面に大きく警報等の表示を行うことができるので、異常発生時においてトンネル内の人が警報等を確実に視認できる。
【図面の簡単な説明】
【００２６】
【図１】自動車専用道路のトンネルの概要図である。
【図２】トンネル内投影装置の構成図である。
【図３】投影部により異常発生時にトンネルの壁面の色を変化させた状態の図である。
【図４】投影部により火災発生時にトンネルの壁面に文字の表示を行っている状態の図である。
【図５】投影部により異常発生時にトンネルの壁面に文字の表示を行っている状態の図である。
【図６】投影部により異常発生時にトンネルの壁面に文字及び図形の表示を行っている状態の図である。
【図７】投影部により異常発生時に消火栓装置の近傍に文字及び図形の表示を行っている状態の図である。
【図８】投影部により消火栓装置の操作を案内する表示を行っている状態の図である。
【図９】図７の状態から消火栓扉が開かれた後の操作を案内する表示を行っている状態の図である。
【図１０】投影部によりトンネル内に異常発生箇所までの距離を表示した状態の図である。
【図１１】投影部によりトンネル内に渋滞中の旨の文字を表示した状態の図である。
【図１２】投影部により逆走の旨の文字を表示した状態の図である。
【図１３】投影部によりトンネル内にリングを表示した状態の図である。
【発明を実施するための形態】
【００２７】
本発明の実施形態について、図面に沿って詳細に説明する。図１には、自動車専用道路のトンネルの概要図を示している。トンネルは、上り線トンネルＡと下り線トンネルＢとからなり、両者は避難連絡抗Ｃによって繋がっている。トンネルには、道路に沿って監視員通路１０が設けられている。また、道路には、非常駐車帯１１が所定間隔毎に設けられていて、この部分ではトンネルの幅が広くなっている。
【００２８】
トンネルの壁面には、非常用設備を構成する機器が配置されている。非常用設備の機器としては、消火栓装置２０と、手動通報装置２１と、水噴霧ノズル２２、非常電話２３、避難誘導表示板２４、警報表示板２５、火災検知器２６、投影部２７、カメラ２８が図中に示されている。これら各機器は、トンネル内において所定間隔毎に設けられる。トンネル内の各機器は、それぞれ単独及び複数の系の制御盤に接続される。簡単化のため、これらの制御盤を統合してトンネル外部の監視室１５に設けられる防災受信盤３０とする。それぞれの系は、防災受信盤３０に対して火災発生等の情報を送信し、あるいは、防災受信盤３０から受信した情報に応じた動作を行う。また、防災受信盤３０は、遠隔地の監視センターへセンサ情報やカメラ映像などの各種情報を送信し、またカメラ２８や投影部２７などに対する各種制御を監視センターから受け付ける。
【００２９】
消火栓装置２０は、消火栓扉２０ａを開いた内部に消火栓やホースを有し、また、消火器が収納されている場合もある。また、消火栓装置２０には、手動通報装置も併せて設けられていることがある。消火栓扉２０ａは、閉状態から開状態となることで、防災受信盤３０に対してその旨の信号を送信することができる。手動通報装置２１は、押しボタン式の通報装置であり、ボタンが操作されたら、その情報が防災受信盤３０に対して送信される。
【００３０】
避難誘導表示板２４は、内側から照明により光っており、避難方向を示す矢印や、避難口までの距離などが表示されている。警報表示板２５は、トンネルの進行方向に対向するように設置されており、トンネル内の異常を表示する電光表示板である。
【００３１】
トンネルの壁面や監視員通路１０には、トンネル内投影装置を構成する投影部２７が設置されている。投影部２７は、プロジェクタ等の光を投影できる装置で構成される。投影部２７は、トンネルの壁面に向かうように配置されており、投影部２７から出射される光がトンネルの壁面に投影されるようになっている。投影部２７からの光は、トンネルの壁面に投影されることで、トンネルの壁面を所定の色に変化させ、また、トンネルの壁面に文字や図形を表示することができる。
【００３２】
トンネル内にはカメラ２８が所定間隔毎に設置されており、防災受信盤３０に映像を送信することができる。防災受信盤３０を設置した監視室１５では、カメラ２８からの映像を見ることができ、トンネル内の機器からの通報時には、カメラ２８からの映像によって、どのような異常が発生したのかを確認することができる。
【００３３】
図２には、トンネル内投影装置の構成図を示している。前述のように、トンネル内に配置される機器である消火栓装置２０の消火栓扉２０ａと、手動通報装置２１、火災検知器２６、カメラ２８は、防災受信盤３０に接続されている。また、警報表示板２５や投影部２７も防災受信盤３０に接続されている。防災受信盤３０は、トンネル内の各機器から火災発生の情報を受信した場合には、外部に火災発生を通報すると共に、消火栓装置２０に水を供給するポンプの動作を開始させるなどのポンプ制御を行う機器に対して情報を送信する。
【００３４】
防災受信盤３０は、トンネル内の各機器において異常が検出された際には、異常の種類及び場所に応じた表示を、警報表示板２５や投影部２７に行わせることができる。図３には、投影部２７により異常発生時にトンネルの壁面の色を変化させた状態の図を示している。この図において、トンネル内の網掛けした領域は、投影部２７からの赤色の光が投影されていることを示している。すなわち、本例において投影部２７は、トンネルの壁面全体が赤色となるように光を投影する。これにより、トンネル内の運転手等は、トンネル内で異常が発生したことを瞬時に認識することができる。これと併せて、警報表示板２５に火災発生等の表示をさせることにより、トンネル内の異常について、運転手等が確実に把握することができる。
【００３５】
投影部２７は、トンネル壁面の色を変化させるだけでなく、文字等を投影することもできる。図４には、投影部２７により火災発生時にトンネルの壁面に文字の表示を行っている状態の図を示している。この図に示すように、投影部２７は、出射する光によって、トンネルの壁面を赤色に変化させつつ、トンネルの天井部及び側壁部に「火災発生」の文字を大きく表示させる。これにより、運転手等は、トンネル内で火災が発生したことを確実に把握することができる。この際、トンネル壁面に投影する色と文字として投影する色を異ならせたり、あるいは、投影する文字近傍のトンネル壁面に対しては、色表示を投影しないなどにより、文字を認識しやすくすることが望ましい。また、「火災発生」の文字に代えて、またこの文字と併せて、火のマークなど火災表示を意味する図形を投影するようにしてもよい。
【００３６】
投影部２７により「火災発生」の文字を投影する指令は、防災受信盤３０から投影部２７に対して出される。「火災発生」の文字を投影する指令は、防災受信盤３０において火災の発生に伴うようにする。火災の発生は、火災検知器２６からの感知情報を防災受信盤３０が受信したとき、トンネル内に位置する手動通報装置２１が押下されたときとすることができる。加えて、防災受信盤３０においてカメラ２８からの映像を確認した上で、手動で「火災発生」の文字を投影する指令を出すようにしてもよい。
【００３７】
投影部２７は、火災発生以外の異常発生時にも、文字等を投影することができる。図５には、投影部２７により異常発生時にトンネルの壁面に文字の表示を行っている状態の図を示している。この図に示すように、投影部２７は、出射する光によって、トンネルの壁面を赤色に変化させつつ、トンネルの天井部及び側壁部に「事故発生」の文字を大きく表示させる。これにより、運転手等は、トンネル内で事故が発生したことを確実に把握することができる。
【００３８】
投影部２７により「事故発生」の文字を投影する指令は、防災受信盤３０から投影部２７に対して出される。「事故発生」の文字を投影する指令は、防災受信盤３０において手動通報装置２１からの通報があった場合に、防災受信盤３０から自動的に出されるようにしてもよいし、手動通報装置２１からの通報があった場合に、防災受信盤３０においてカメラ２８からの映像を確認した上で、手動で指令が出されるようにしてもよい。このとき、事故の発生場所と現在位置との距離を併せて表示するようにしてもよい。
【００３９】
投影部２７は、トンネルの壁面に対し、文字に加えて図形も表示させることができる。図５には、投影部２７により異常発生時にトンネルの壁面に文字及び図形の表示を行っている状態の図を示している。この図に示すように、投影部２７は、出射する光によって、トンネルの壁面を赤色に変化させつつ、トンネルの側壁部に「避難」の文字と避難口１２に向かう方向を表示する矢印とを大きく表示させる。これにより、運転手等は、トンネル内で避難口１２の方向及び位置を確実に把握することができる。「避難」の文字及び矢印は、点滅を繰り返すようにすることで、トンネル内の人に対してより強力に避難を促すことができる。
【００４０】
図５では、トンネルの側壁部に「避難」の文字と避難口１２に向かう方向を表示する矢印とを表示しているが、図４のような「事故発生」の文字と併せてこれらを表示してもよい。また、投影部２７により「避難」の文字と避難口１２に向かう方向を表示する矢印とを表示する指令は、防災受信盤３０において手動通報装置２１からの通報があった場合や、消火栓扉２０ａが開状態となったことを検出した場合、火災検知器２６で火災発生が検出された場合に、自動的に出されてもよいし、これらの検出時にカメラ２８からの映像を確認した上で、手動で出されるようにしてもよい。
【００４１】
投影部２７によるトンネルの壁面に対する表示は、その他にも様々なものがある。図６には、投影部２７により異常発生時に消火栓装置２０の近傍に文字及び図形の表示を行っている状態の図を示している。この図に示すように、投影部２７は、出射する光によって、トンネルの壁面を赤色に変化させつつ、消火栓装置２０の直上部に「消火栓」の文字及び矢印を大きく表示させる。これにより、運転手等は、トンネル内で消火栓装置２０の位置を確実に把握することができる。
【００４２】
投影部２７による表示は、状況に応じて変化させることもできる。図７には、投影部２７により消火栓装置２０の操作を案内する表示を行っている状態の図を示している。火災検知器２６による火災検出や、手動通報装置２１による通報があった場合に、防災受信盤３０は、消火栓装置２０のすぐ隣の位置に図７のような表示を投影部２７に投影させる。ここでの表示は、消火栓装置２０の消火栓扉２０ａを開くように促すものである。この表示により、消火栓装置２０の位置及びどの部分を操作すればよいかを瞬時に把握することができる。
【００４３】
図７の表示状態から、消火栓扉２０ａが開かれると、その旨の信号を検出した防災受信盤３０は、続いて図８に示す表示を投影部２７に投影させる。ここでの表示は、消火栓装置２０のノズル２０ｂを取り出すように促すものである。この表示により、消火栓扉２０ａを開いた後に、どのように操作すればよいかを確実に把握することができる。
【００４４】
さらに、ノズル２０ｂの取り出しを検出できるようにし、ノズル２０ｂが取り出されたら、投影部２７の表示をさらに変化させ、「レバーを引いて下さい」等の表示を行うこともできる。このように、消火栓装置２０の操作の段階ごとに、投影部２７による表示を変化させることにより、消火栓装置２０の操作をガイドすることができる。また、状況に応じて投影部２７による表示を変化させることで、トンネル内の異常発生時に、より的確な行動を促すことができる。
【００４５】
投影部２７において、さらに別の表示をすることもできる。図９には、投影部２７によりトンネル内に異常発生箇所までの距離を表示した状態の図を示している。防災受信盤３０では、手動通報装置２１からの通報や、火災検知器２６による火災検出が、どの機器からされているか認識できる。その上で、防災受信盤３０は、図９に示すように、異常が検出された機器までの距離を投影部２７に投影させる。図９では、異常が検出された機器までの距離が５００ｍの地点、４００ｍの地点、及び３００ｍの地点に、それぞれ距離を表示している。これにより、異常が発生した位置までの距離を運転手等が容易に把握することができる。
【００４６】
また、トンネル内の異常発生時以外の状況においても、投影部２７に文字等を投影させることができる。図１０には、投影部２７によりトンネル内に渋滞中の旨の文字を表示した状態の図を示している。この図に示すように、トンネル内に渋滞が発生している際に、投影部２７に「渋滞中」、「前方注意」の文字をトンネルの壁面に大きく投影させることにより、運転手に注意を促し、追突事故の防止を図ることができる。
【００４７】
図１１には、投影部２７により逆走の旨の文字を表示した状態の図を示している。トンネル内に逆走する車が進入した場合に、投影部２７に「逆走！」の文字をトンネルの壁面に大きく投影させることにより、運転手に逆走していることを認識させることができ、事故防止を図ることができる。逆走車の検出は、カメラ２８の映像における異なる時間での車の位置変化や、既知の車の速度検出によって行う。
【００４８】
図１２には、投影部２７によりトンネル内にリングを表示した状態の図を示している。この図に示すように、投影部２７により、トンネル内の長さ方向に沿って複数のリングを表示させることができる。これらのリングは、図中手前から奥に向かって、色が次第に薄くなるようになっている。これにより、トンネル内の運転手に対して減速を促すことができる。また、リングの色が、手前から奥に向かって、次第に濃くなるように表示すれば、トンネル内の運転手に対して加速を促すこともできる。このようなリング表示により、トンネル内の渋滞緩和を図ることができる。
【００４９】
ここまで投影部２７による様々な表示について説明したが、各表示のうち、運転中の人に対する表示は、トンネルの天井部など高い位置に表示した方が、視認性がよく好ましい。一方、車を降りた人、具体的には避難中の人や消火栓装置２０を使用する人に対する表示は、トンネルの側壁部など低い位置に表示したほうが、見上げる必要がなく好ましい。
【００５０】
投影部２７は、トンネルの入口付近にも設置することができる。トンネルの入口付近は、トンネル外からの光が入ってくるため、トンネルの奥側に設置される投影部２７よりも、強い光を出射できるものとすることが望ましい。トンネルの入口付近における表示は、路面に対し進入禁止マークを表示することによって行い、トンネル進入より前、もしくは入ってすぐのタイミングで気付くことができるようにすることが好適である。
【００５１】
トンネル内の異常発生時には、前述のように、投影部２７はトンネルの壁面が赤色となるように赤色の光を投影するが、状況に応じて他の色を投影するようにしてもよい。例えば、ＪＩＳ規格の色による注意喚起の基準に基づき、安全を表す際には緑を、注意を表す際には黄を、危険を表す際には黄赤を、消火や停止を表す際には赤を、それぞれ投影してもよい。
【００５２】
投影部２７は、通常時（非異常時）に異常表示とは異なる情報を表示するようにしてもよい。例えば、電光掲示板等に表示される工事情報や、次のパーキングエリアまでの情報等を表示するようにしてもよい。
【００５３】
トンネル壁面の色表示は、時間経過に伴って徐々に行うようにしてもよい。例えば、色表示のラインを複数用意し、ライン間の間隔を徐々に狭くなるようにしてもよい。これにより、急に壁面の色が変化することで、運転者が驚くことによる急ブレーキに伴う事故を防止することができる。
【００５４】
また、投影部２７による表示は、緊急車両が接近している際に行うようにしてもよい。トンネル内だと緊急車両のサイレン音が聞こえにくいため、表示による覚知は有効である。
【００５５】
投影部２７による表示は、必要なタイミングでのみ行うようにしてもよい。必要なタイミングとは、例えば車が通過したときである。このために、トンネル内に車の通過を検出できる通過検出部を設け、この通過検出部による車の通過検出の有無によって、投影部２７の表示・非表示を切り替える。具体的には、投影部２７は、通過検出部で車の通過が検出されない間は投影を行わず、通過検出部で車の通過が検出されると、トンネルの壁面または道路面に対して所定の投影を行う。これにより、投影部２７における電力消費を抑えることができる。また、投影部２７は、非投影時にはカバー等で保護され、投影時にのみ露出して光を出射するようにすることができる。この場合に、車の通過検出時のみ投影を行うようにすることで、投影部２７の汚れ防止を図ることができる。
【００５６】
投影部２７による表示は、トンネルの壁面に対して投影されるが、トンネルの道路面に投影するようにしてもよい。この場合、投影部２７はトンネル内の高所に設置される。
【００５７】
以上、本発明の実施形態について説明したが、本発明の適用は本実施形態には限られず、その技術的思想の範囲内において様々に適用されうる。
【符号の説明】
【００５８】
Ａ    上り線トンネル
Ｂ    下り線トンネル
Ｃ    避難連絡抗
１０    監視員通路
１１    非常駐車帯
１２    避難口
２０    消火栓装置
２１    手動通報装置
２２    水噴霧ノズル
２３    非常電話
２４    避難誘導表示板
２５    警報表示板
２６    火災検知器
２７    投影部
２８    カメラ
３０    防災受信盤
【図１】
2019041862.tif 000003
【図２】
2019041862.tif 000004
【図３】
2019041862.tif 000005
【図４】
2019041862.tif 000006
【図５】
2019041862.tif 000007
【図６】
2019041862.tif 000008
【図７】
2019041862.tif 000009
【図８】
2019041862.tif 000010
【図９】
2019041862.tif 000011
【図１０】
2019041862.tif 000012
【図１１】
2019041862.tif 000013
【図１２】
2019041862.tif 000014
【図１３】
2019041862.tif 000015